(57)【要約】【課題】木材を縦、横、斜めの全方向に切断可能であるとともに、木材を鋸によって切断する際に、木材に対して鋸歯がどの程度の角度で当っているか目視でき、木材の堅さ、厚さによって望ましい鋸の挽き込み角度で切断できる両刃鋸を提供することにある。【解決手段】柄１１と、この柄１１に設けられた鋸板１２とからなり、鋸板１２の両側縁に鋸歯１３を設けた両刃鋸において、鋸板１２の両側縁に設けられた鋸歯１３は、縦挽き目１４と横挽き目１５が混在して設けられ、木材を縦、横、斜めの全方向に切断可能であるとともに、鋸板１２の少なくとも片面に木材の堅さ、厚さによって鋸の挽き込み角度を教示する角度指標１７を表示し、この角度指標１７は、鋸歯１３を基準とする１５°、３０°、４５°の角度線１７ａ，１７ｂ，１７ｃであり、作業者が鋸作業中に目視可能であることを特徴とする。【選択図】図１
0003110133.tif 000002
【実用新案登録請求の範囲】
【請求項１】
柄と、この柄に設けられた鋸板とからなり、前記鋸板の両側縁に鋸歯を設けた両刃鋸において、
前記鋸板の両側縁に設けられた鋸歯は、縦挽き目と横挽き目が混在して設けられ、木材を縦、横、斜めの全方向に切断可能であるとともに、前記鋸板の少なくとも片面に木材の堅さ、厚さによって鋸の挽き込み角度を教示する角度指標を表示したことを特徴とする両刃鋸。
【請求項２】
柄と、この柄に設けられた鋸板とからなり、前記鋸板の両側縁に鋸歯を設けた両刃鋸において、
前記鋸板の両側縁に設けられた鋸歯は、縦挽き目と横挽き目が混在して設けられ、木材を縦、横、斜めの全方向に切断可能であるとともに、前記鋸板の少なくとも片面に木材の堅さ、厚さによって鋸の挽き込み角度を教示する角度指標を表示し、この角度指標は、前記鋸歯を基準とする複数の角度線であり、作業者が鋸作業中に目視可能であることを特徴とする両刃鋸。
【請求項３】
柄と、この柄に設けられた鋸板とからなり、前記鋸板の両側縁に鋸歯を設けた両刃鋸において、
前記鋸板の両側縁に設けられた鋸歯は、縦挽き目と横挽き目が混在して設けられ、木材を縦、横、斜めの全方向に切断可能であるとともに、前記鋸板の少なくとも片面に木材の堅さ、厚さによって鋸の挽き込み角度を教示する角度指標を表示し、この角度指標は、前記鋸歯を基準とする１５°、３０°、４５°の角度線であり、作業者が鋸作業中に目視可能であることを特徴とする両刃鋸。
【考案の詳細な説明】
【技術分野】
【０００１】
この考案は、例えば、学校の木工実習授業で用いる両刃鋸に関する。
【背景技術】
【０００２】
例えば、小学生高学年、中学生の実習授業においては、男女を問わず、木材によって電気スタンド、本立てや収納ボックス等を製作する木工実習が行われている。生徒には木材、釘、ねじ、工具等の教材が頒布され、生徒は頒布された教材によって思い思いの品物を製作している。
【０００３】
ところで、木材を切断する鋸には、一般に両刃鋸が用いられているが、両刃鋸は鋸板の一側縁に横挽き目の鋸歯が、他側縁に縦挽き目の鋸歯が設けられている。そして、木材を切断する方向が木材の横方向であれば、横挽き目の鋸歯を木材に当て、縦方向であれば、縦挽き目の鋸歯を木材に当てて切断するようにしている。
【０００４】
しかし、最近では集成材が普及し、学校の実習授業においても教材として集成材が用いられている。集成材は、木材の縦方向と横方向が混在して接着剤によって接着されているため、切断する方向によって横挽き目の鋸歯と縦挽き目の鋸歯とを選択することはできない。従って、集成材の場合、横挽き目の鋸歯によって木材の縦方向に切断する場合がある。また、集成材は、木材を接着剤によって接着して集成しているため、硬化した接着剤によって鋸歯が摩耗し、早期に切れ味が落ち、頻繁に替刃と交換する必要がある。
【考案の開示】
【考案が解決しようとする課題】
【０００５】
前述したように、鋸板の一側縁に横挽き目の鋸歯、他側縁に縦挽き目の鋸歯が設けられた両刃鋸は、集成材には不向きである。また、木材は種類によって堅いもの、柔らかいものがあり、これらを切断する際に、木材に対する鋸の挽き込み角度を最も望ましい角度にすると、効率的に切断できることが知られている。また、切断しようとする木材の厚さが薄いもの、厚いものがあり、これらを切断する際に、木材に対する鋸の挽き込み角度を最も望ましい角度にすると、効率的に切断できることが知られている。
【０００６】
しかし、生徒はこれらの知識がないのが普通であり、また教えられたとしても、木材を切断する際に、木材に対して鋸歯がどの程度の角度で当っているか、つまり木材の堅さ、厚さによって望ましい鋸の挽き込み角度が教えられたとしても、実際に木材に対して鋸歯がどの程度の角度で当っているか判らない。
【０００７】
この考案は、前記事情に着目してなされたもので、その目的とするところは、鋸板の両側縁の鋸歯は、縦挽き目と横挽き目が混在して設けられ、木材を縦、横、斜めの全方向に切断可能であるとともに、木材を鋸によって切断する際に、木材に対して鋸歯がどの程度の角度で当っているか目視でき、木材の堅さ、厚さによって望ましい鋸の挽き込み角度で切断でき、教材として使用する場合においても便利な両刃鋸を提供することにある。
【課題を解決するための手段】
【０００８】
この考案は、前記目的を達成するために、請求項１は、柄と、この柄に設けられた鋸板とからなり、前記鋸板の両側縁に鋸歯を設けた両刃鋸において、前記鋸板の両側縁に設けられた鋸歯は、縦挽き目と横挽き目が混在して設けられ、木材を縦、横、斜めの全方向に切断可能であるとともに、前記鋸板の少なくとも片面に木材の堅さ、厚さによって鋸の挽き込み角度を教示する角度指標を表示したことを特徴とする。
【０００９】
請求項２は、前記鋸板の少なくとも片面に木材の堅さ、厚さによって鋸の挽き込み角度を教示する角度指標を表示するとともに、この角度指標は、前記鋸歯を基準とする複数の角度線であり、作業者が鋸作業中に目視可能であることを特徴とする。
【００１０】
請求項３は、前記鋸板の少なくとも片面に木材の堅さ、厚さによって鋸の挽き込み角度を教示する角度指標を表示するとともに、この角度指標は、前記鋸歯を基準とする１５°、３０°、４５°の角度線であり、作業者が鋸作業中に目視可能であることを特徴とする。
【考案の効果】
【００１１】
この考案によれば、鋸板の両側縁の鋸歯は、縦挽き目と横挽き目が混在して設けられ、木材を縦、横、斜めの全方向に切断可能であり、長寿命で集成材に対応できるとともに、木材を鋸によって切断する際に、木材の種類によって異なる堅さや木材の板厚によって条件が異なっても、木材に対して鋸歯を当て、望ましい鋸の挽き込み角度で切断でき、鋸の切れ味を持続できるという効果がある。
【考案を実施するための最良の形態】
【００１２】
以下、この考案の実施の形態を図面に基づいて説明する。
【００１３】
図１〜図３は両刃鋸の第１の実施形態を示し、この両刃鋸は、柄１１と、この柄１１に着脱交換可能に設けられた鋸板１２とから構成されている。鋸板１２は薄い鋼板に焼入れを施した弾性体であり、両側縁には同一の鋸歯１３が設けられている。すなわち、鋸歯１３は横挽き目１４と縦挽き目１５が混在して設けられているとともに、木屑を掻き出すＵカットの切欠溝１６が設けられている。ここで、横挽き目１４と縦挽き目１５の数の割合は、例えば８対１であり、鋸歯１３の長手方向に横挽き目１４が連続して８個形成され、その配列の端に１個の縦挽き目１５が設けられている。そして、鋸板１２の両側縁の鋸歯１３は、木材を縦、横、斜めの全方向に切断可能であり、木材を切断する際に、鋸歯１３を選択する必要がなく、集成材の切断にも対応できるように構成されている。
【００１４】
また、鋸板１２の最も柄１１側に偏った位置の両面には木材の堅さ、厚さによって鋸の挽き込み角度を教示する角度指標１７が印刷によって表示されている。この角度指標１７は、鋸歯１３を基準として成す角度が１５°の第１の角度指標線１７ａと、鋸歯１３を基準として成す角度が３０°の第２の角度指標線１７ｂと、鋸歯１３を基準として成す角度が４５°の第３の角度指標線１７ｃとからなる。第１の角度指標線１７ａ、第２の角度指標線１７ｂ、第３の角度指標線１７ｃは、線の太さを順次太く変えることにより、明確に表示できるようにしている。
【００１５】
従って、作業者は鋸作業を行う際に、木材１８の上面１８ａに対して第１〜第３の角度指標線１７ａ〜１７ｃを目視しながらそのいずれかを一致させるように柄１１を持って鋸板１２の角度を調整することができるし、第三者に木材１８の上面１８ａと第１〜第３の角度指標線１７ａ〜１７ｃのいずれかが一致しているか確認してもらうことができる。
【００１６】
このような構成によれば、図２（Ａ）に示すように、切断しようとする木材１８が薄く、柔らかい場合には木材１８の上面１８ａと１５°の第１の角度指標線１７ａとを一致させて鋸挽きし、図２（Ｃ）に示すように、切断しようとする木材１８が厚く、堅い場合には木材１８の上面１８ａと４５°の第３の角度指標線１７ｃとを一致させて鋸挽きする。また、切断しようとする木材１８が上記の中間の板厚、堅さ場合には、図２（Ｂ）に示すように、木材１８の上面１８ａと３０°の第２の角度指標線１７ｂとを一致させて鋸挽きすることにより、木材１８がどのように堅さ、板厚であっても能率的に鋸挽きでき、鋸挽きが初めての経験であっても、角度指標１７によって木材１８の上面１８ａに対する鋸板１２の角度を望ましい位置に設定して作業できる。
【００１７】
また、鋸歯１３は横挽き目１４と縦挽き目１５が混在して設けられているため、図３に示すように、木材１８を縦方向、横方向、斜め方向の全方向に切断可能であり、木材１８を切断する際に、鋸歯１３の向きを選択する必要がなく、集成材の切断にも対応できる。
【００１８】
なお、前述した実施形態によれば、鋸板１２の最も柄１１側に偏った位置の両面に木材１８の堅さ、厚さによって鋸の挽き込み角度を教示する角度指標１７を印刷によって表示したが、鋸板１２の片面に表示してもよく、鋸板１２の全面的に表示してもよい。また、角度指標１７は、鋸歯１３を基準として成す角度が１５°、３０°及び４５°の３通りとしたが、角度指標の数は限定されるものではない。
【００１９】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【図面の簡単な説明】
【００２０】
【図１】この考案の第１の実施形態を示し、（Ａ）は両刃鋸の側面図、（Ｂ）はａ部を拡大した側面図。
【図２】同実施形態を示し、（Ａ）（Ｂ）（Ｃ）は作用を示す側面図。
【図３】同実施形態を示し、作用を示す斜視図。
【符号の説明】
【００２１】
１１…柄、１２…鋸板、１３…鋸歯、１４…横挽き目、１５…縦挽き目、１７…角度指標、１８…木材
【図１】
0003110133.tif 000003
【図２】
0003110133.tif 000004
【図３】
0003110133.tif 000005